【手続補正書】
【提出日】平成15年6月12日(2003.6.12)
【手続補正１】
【補正対象項目名】手続補正１
【補正方法】変更
【補正の内容】
【手続補正１】
【補正対象書類名】明細書
【補正対象項目名】特許請求の範囲
【補正方法】変更
【補正の内容】
【特許請求の範囲】
【請求項１】
気体の水素原子と、正味反応エンタルピーが約２７＊（ｐ／２）ｅＶ（ここで、ｐは１より大きい整数である。）の気体の触媒とを含む反応容器を有し、前記水素原子が前記容器内にて前記触媒と大気圧より低い圧力で反応し、それによってエネルギーを放出し、結合エネルギーが約Ｅｂ＝１３．６／ｎ２ｅＶ（ここで，ｎは分子が１、分母が１より大きい整数である分数。）の水素原子を作り出すことを含む水素原子よりエネルギーを抽出するためのセル。
【請求項２】
前記気体の触媒は、結合エネルギーが約Ｅｂ＝１３．６／ｎ２ｅＶ（ここで、ｎは分子が１、分母が１より大きい整数である分数。）の水素原子を含む、請求項１のセル。
【請求項３】
前記セルは、下記式：
ｍ×２７．２１ｅＶ＋Ｈ［αＨ／ｍ′］＋Ｈ［αＨ  ／ｐ］→Ｈ＋＋ｅ−＋Ｈ［αＨ／（ｐ＋ｍ）］＋
［（ｐ＋ｍ）２−ｐ２−（ｍ′２−２ｍ）］×１３．６ｅＶ
Ｈ＋＋ｅ−→Ｈ［αＨ／１］＋１３．６ｅＶ
Ｈ［αＨ／ｍ′］＋Ｈ［αＨ  ／ｐ］→Ｈ［αＨ／１］＋Ｈ［αＨ／（ｐ＋ｍ）］＋
［２ｐｍ＋ｍ２−ｍ′２］×１３．６ｅＶ  ＋１３．６ｅＶ
（ここで、ｍとｐは０ではない正の整数、ｍ′は１より大きい整数、そしてαＨはボーア半径である。）によって規定される反応を維持することを含む、請求項１のセル。
【請求項４】
前記気体の水素原子は、水素原子を含む分子と、前記分子を解離して水素原子を産するための第二の触媒との反応によってセル内に形成される請求項１のセル。
【請求項５】
前記気体の触媒は、加熱された際に、昇華、沸騰、または揮発するものである、請求項１のセル。
【請求項６】
前記気体の触媒はルビジウム塩、またはカリウム塩より形成されることを特徴とする請求項１のセル。
【請求項７】
前記カリウム塩は、ＫＦ，ＫＣＩ，ＫＢｒ，ＫＩ，Ｋ２Ｓ２，ＫＯＨ，Ｋ２ＳＯ４，Ｋ２ＣＯ３，Ｋ２ＰＯ４及びＫ２ＧｅＦ４から成る群から選択される請求項６のセル。
【請求項８】
前記気体の触媒は、前記気体の触媒が加熱された際に０より大きい蒸気圧を有する陽イオンを含み、前記陽イオンは、（Ｋ＋），（Ｒｂ＋），（Ｍｏ２＋）及び（Ｔｉ２＋）から成る群から選択される、請求項１のセル。
【請求項９】
前記気体の触媒は、前記気体の触媒が加熱された際に０より大きい蒸気圧を有する陽イオン対を含み、前記陽イオン対は、（Ｓｎ４＋，Ｓｉ４＋），（Ｐｉ３＋，Ｃａ２＋），（Ｓｒ２＋，Ｃｒ２＋），（Ｃｒ３＋，Ｔｂ３＋），（Ｓｂ３＋，Ｃｏ２＋），（Ｂｉ３＋，Ｎｉ２＋），（Ｐｄ２＋，Ｉｎ＋），（Ｌａ３＋，Ｄｙ３＋），（Ｌａ３＋，Ｈｏ３＋），（Ｋ＋，Ｋ＋），（Ｖ３＋，Ｐｄ２＋），（Ｌｕ３＋，Ｚｎ２＋），（Ａｓ３＋，Ｈｏ３＋），（Ｍｏ３＋，Ｓｎ４＋），（Ｓｂ３＋，Ｃｄ２＋），（Ａｇ２＋，Ａｇ＋），（Ｌａ３＋，Ｅｒ３＋），（Ｖ４＋，Ｂ３＋），（Ｆｅ３＋，Ｔｉ３＋），（Ｃｏ２＋，Ｔｉ＋），（Ｂｉ３＋，Ｚｎ２＋），（Ａｓ３＋，Ｄｙ３＋），（Ｈｏ３＋，Ｍｇ２＋），（Ｋ＋，Ｒｂ＋），（Ｃｒ３＋，Ｐｒ３＋），（Ｓｒ２＋，Ｆｅ２＋）  （Ｎｉ２＋，Ｃｕ＋），（Ｓｒ２＋，Ｍｏ２＋），（Ｙ３＋，Ｚｒ４＋），（Ｃｄ２＋，Ｂａ２＋），（Ｈｏ３＋，Ｐｂ２＋），（Ｐｄ２＋，Ｌｉ＋），（Ｅｕ３＋，Ｍｇ２＋），（Ｅｒ３＋，Ｍｇ２＋）  （Ｂｉ４＋，Ａｌ３＋），（Ｃａ２＋，Ｓｍ３＋），（Ｖ３＋，Ｌａ３＋），（Ｇｄ３＋，Ｃｒ２＋），（Ｍｎ２＋，Ｔｌ＋）  （Ｙｂ３＋，Ｆｅ２＋），（Ｎｉ２＋，Ａｇ＋），（Ｚｎ２＋，Ｙｂ２＋）  （Ｓｅ４＋，Ｓｎ４＋），（Ｓｂ３＋，Ｂｉ２＋），及び（Ｅｕ３＋，Ｐｂ２＋）から成る群から選択されることを特徴とする請求項１のセル。
【請求項１０】
前記容器は、水素分圧を約１トルより低く維持する請求項１のセル。
【請求項１１】
前記容器は、触媒分圧を５０〜２５０ミリトルの間に維持するものである請求項１のセル。
【請求項１２】
前記容器は更に非反応的な気体を含み、そこで前記気体の水素原子と前記気体の触媒との反応速度を、前記容器内の前記非反応的な気体の量を加減することで制御する請求項１のセル。
【請求項１３】
更に、前記触媒を選択的に前記容器から解放するための弁を有する請求項１のセル。
【請求項１４】
更に、結合エネルギーが約Ｅｂ＝１３．６ｎ２／ｅＶ（ここで、ｎは分子が１、分母が１より大きい整数である分数。）の前記水素原子を選択的に解放するための弁を有する請求項１のセル。
【請求項１５】
前記気体の触媒の蒸気分圧が温度で変化する請求項１のセル。
【請求項１６】
更に、前記容器を加熱するためのヒータを有する請求項１のセル。
【請求項１７】
更に、前記反応容器と連通する触媒貯蔵器を有し、前記触媒貯蔵器は前記気体の触媒或いは触媒源を含む請求項１のセル。
【請求項１８】
更に、前記触媒を加熱するためのヒータを有する請求項１７のセル。
【請求項１９】
前記貯蔵器は前記反応容器の外部にある請求項１７のセル。
【請求項２０】
更に、前記貯蔵器から前記容器への前記触媒の流れを制御するための流量制御弁を有する請求項１９のセル。
【請求項２１】
更に、水素原子又は水素原子源を収容するための、前記反応容器と連通するチャンバを有する請求項１のセル。
【請求項２２】
更に、前記チャンバから前記容器への水素原子の流れを制御するための流量制御弁を有する請求項２１のセル。
【請求項２３】
前記水素原子源は内燃機関を有する請求項２１のセル。
【請求項２４】
前記水素原子源はガスタービンを有する請求項２１のセル。
【請求項２５】
水素からエネルギーを抽出する方法であって、
約２７＊（ｐ／２）ｅＶ（ここで、ｐは１より大きい整数である。）の正味反応エンタルピーを有する気体の触媒を提供する工程；
気体の水素原子を提供する工程；及び、
前記気体の触媒を前記気体の水素原子と反応させ、それによって約Ｅｂ＝１３．６／ｎ２ｅＶ（ここで、ｎは分子が１、分母が１より大きい整数である分数。）の結合エネルギーを有する水素原子を作り出す工程；の各工程を有し、前記反応は大気圧より低い圧力でおこる前記エネルギー抽出方法。
【請求項２６】
前記気体の水素原子は、水素原子を含む分子を解離することによって提供される請求項２５の方法。
【請求項２７】
気体の水素原子は、水素原子を含む分子と、前記分子を解離して気体相の水素原子を産するための触媒とを接触させることによって提供される請求項２５の方法。
【請求項２８】
前記気体の触媒は、約Ｅｂ＝１３．６／ｎ２ｅＶ（ここで、ｎは分子が１、分母が１より大きい整数である分数。）の結合エネルギーを有する気体の水素原子を含む請求項２５の方法。
【請求項２９】
前記気体の触媒は、下記式の反応に従って；
ｍ×２７．２１ｅＶ＋Ｈ［αＨ／ｍ′］＋Ｈ［αＨ  ／ｐ］→Ｈ＋＋ｅ−＋Ｈ［αＨ／（ｐ＋ｍ）］＋
［（ｐ＋ｍ）２−ｐ２−（ｍ′２−２ｍ）］×１３．６ｅＶ
Ｈ＋＋ｅ−→Ｈ［αＨ／１］＋１３．６ｅＶ
Ｈ［αＨ／ｍ′］＋Ｈ［αＨ  ／ｐ］→Ｈ［αＨ／１］＋Ｈ［αＨ／（ｐ＋ｍ）］＋
［２ｐｍ＋ｍ２−ｍ′２］×１３．６ｅＶ  ＋１３．６ｅＶ
（ここで、ｍとｐは０より大きい整数、ｍ′は１より大きい整数、そしてαＨはボーア半径である。）、前記気体の触媒が供給される請求項２５の方法。
【請求項３０】
前記反応が約１トルより低い圧力で起こる請求項２５の方法。
【請求項３１】
反応中の気体の水素原子の分圧が約１トルより低い請求項２５の方法。
【請求項３２】
反応中の気体の触媒の分圧が約５０〜２５０ミリトルである請求項２５の方法。
【請求項３３】
前記気体の触媒の蒸気分圧を、前記気体の触媒の温度を変化させることによって制御する請求項２５の方法。